(57)【要約】【課題】光源を点滅させてバックライトの輝度を調整する構成において、輝度の高い安定性を得ることが可能で、かつ、電源トランスが音鳴きすることを抑制することが可能な液晶表示装置および液晶テレビジョン装置を提供する。【解決手段】この液晶テレビジョン装置１００（液晶表示装置）は、画像を表示可能な液晶表示パネル１１１と、５個の第１ＬＥＤ１１２ａと５個の第２ＬＥＤ１１２ｂとを含み液晶表示パネル１１１に光を照射するバックライト１１２と、１次側の電圧をバックライト１１１に供給する２次側の電圧に変換する電源トランス１４と、第１ＬＥＤ１１２ａおよび第２ＬＥＤ１１２ｂに供給される電力（電流）を制御してそれぞれ交互に繰り返し点滅させる制御を行う制御部１２とを備える。【選択図】図１
2012252158.tif 000002
【特許請求の範囲】
【請求項１】
画像を表示可能な液晶表示パネルと、
複数の光源を２分割した一方の第１光源と他方の第２光源とを含み、前記液晶表示パネルに光を照射するバックライトと、
１次側の電圧を前記バックライトに供給する２次側の電圧に変換する電源トランスと、
前記第１光源および前記第２光源に供給される電力を制御して、それぞれ交互に繰り返し点滅させる制御を行う制御部とを備え、
前記制御部は、前記第１光源の点灯および消灯のタイミングと前記第２光源の点灯および消灯のタイミングとが互いに重ならないように前記第１光源および前記第２光源をそれぞれ交互に繰り返し点滅させる制御を行うように構成されている、液晶表示装置。
【請求項２】
前記制御部は、前記第１光源および前記第２光源をそれぞれ所定の周期で点滅させるとともに、前記第１光源を点灯させるタイミングと前記第２光源を点灯させるタイミングとが所定の時間だけ互いにずれるように制御することによって、前記第１光源の点灯および消灯のタイミングと前記第２光源の点灯および消灯のタイミングとが互いに重ならないように前記第１光源および前記第２光源をそれぞれ交互に繰り返し点滅させるように構成されている、請求項１に記載の液晶表示装置。
【請求項３】
前記制御部は、前記第１光源を点灯させるタイミングと前記第２光源を点灯させるタイミングとが前記所定の周期の半周期分だけ互いにずれるように前記第１光源および前記第２光源をそれぞれ交互に繰り返し点滅させる制御を行うように構成されている、請求項２に記載の液晶表示装置。
【請求項４】
前記制御部は、前記第１光源および前記第２光源を点滅させる周波数が音の可聴域内の周波数になるように前記第１光源および前記第２光源をそれぞれ交互に繰り返し点滅させるとともに、前記第１光源および前記第２光源を点滅させることによる電力変化の周波数が音の可聴域外の周波数になるように制御を行うように構成されている、請求項１〜３のいずれか１項に記載の液晶表示装置。
【請求項５】
前記第１光源および前記第２光源は、それぞれ、複数の第１発光素子および複数の第２発光素子を有し、
前記制御部は、前記複数の第１発光素子の点灯および消灯のタイミングと前記複数の第２発光素子の点灯および消灯のタイミングとが互いに重ならないように前記複数の第１発光素子および前記複数の第２発光素子をそれぞれ交互に繰り返し点滅させる制御を行うように構成されている、請求項１〜４のいずれか１項に記載の液晶表示装置。
【請求項６】
画像を表示可能な液晶表示パネルと、
テレビジョン信号を受信するチューナと、
複数の光源を２分割した一方の第１光源と他方の第２光源とを含み、前記液晶表示パネルに光を照射するバックライトと、
１次側の電圧を前記バックライトに供給する２次側の電圧に変換する電源トランスと、
前記第１光源および前記第２光源に供給される電力を制御して、それぞれ交互に繰り返し点滅させる制御を行う制御部とを備え、
前記制御部は、前記第１光源の点灯および消灯のタイミングと前記第２光源の点灯および消灯のタイミングとが互いに重ならないように前記第１光源および前記第２光源をそれぞれ交互に繰り返し点滅させる制御を行うように構成されている、液晶テレビジョン装置。
【発明の詳細な説明】
【技術分野】
【０００１】
この発明は、液晶表示装置および液晶テレビジョン装置に関し、特に、バックライトを備える液晶表示装置および液晶テレビジョン装置に関する。
【背景技術】
【０００２】
従来、バックライトを備える液晶表示装置が知られている（たとえば、特許文献１参照）。
【０００３】
上記特許文献１には、画像を表示可能な液晶パネル（液晶表示パネル）と、３つの発光素子（光源）を含み液晶パネルに光を照射するバックライトと、３つの発光素子をそれぞれ繰り返し点滅させる制御を行うバックライト制御装置（制御部）とを備えた液晶表示装置が開示されている。この液晶表示装置では、バックライト制御装置により３つの発光素子のうちいずれか１つを消灯するのと同時に別の１つを点灯させるようにして３つの発光素子を順番に点滅させることによって、バックライトの輝度を調整している。
【先行技術文献】
【特許文献】
【０００４】
【特許文献１】特開２００６−２５１５３３号公報
【発明の概要】
【発明が解決しようとする課題】
【０００５】
しかしながら、上記特許文献１の液晶表示装置では、３つの発光素子（光源）のうちいずれか１つを消灯するのと同時に別の１つを点灯させるようにして３つの発光素子を順番に点滅させることによって、バックライトの輝度を調整するので、３つの発光素子のうちいずれか１つの発光素子の消灯のタイミングと別の１つの発光素子の点灯のタイミングとを厳密に一致させるのが困難であり、消灯のタイミングと点灯のタイミングとが少しでもずれると、瞬間的に両方とも消灯または点灯状態になり、設計した輝度（片方のみ点灯）とは異なる輝度になってしまうため輝度の安定性が低いという問題点がある。
【０００６】
また、従来、光源に電力を供給するために電圧を変換する電源トランスを備えた構成において、バックライトの光源を点滅させる際に、電源トランスの負荷変動が大きくなると電源トランスが音鳴きをしてしまうという問題点もある。
【０００７】
この発明は、上記のような課題を解決するためになされたものであり、この発明の１つの目的は、光源を点滅させてバックライトの輝度を調整する構成において、輝度の高い安定性を得ることが可能で、かつ、電源トランスが音鳴きすることを抑制することが可能な液晶表示装置および液晶テレビジョン装置を提供することである。
【課題を解決するための手段および発明の効果】
【０００８】
この発明の第１の局面による液晶表示装置は、画像を表示可能な液晶表示パネルと、複数の光源を２分割した一方の第１光源と他方の第２光源とを含み液晶表示パネルに光を照射するバックライトと、１次側の電圧をバックライトに供給する２次側の電圧に変換する電源トランスと、第１光源および第２光源に供給される電力を制御してそれぞれ交互に繰り返し点滅させる制御を行う制御部とを備え、制御部は、第１光源の点灯および消灯のタイミングと第２光源の点灯および消灯のタイミングとが互いに重ならないように第１光源および第２光源をそれぞれ交互に繰り返し点滅させる制御を行うように構成されている。
【０００９】
この第１の局面による液晶表示装置では、第１光源の点灯および消灯のタイミングと第２光源の消灯および点灯のタイミングとがそれぞれ互いに重ならないようにすることによって、第１光源の点灯および消灯のタイミングと第２光源の消灯および点灯のタイミングとが少しずれた場合にも、設計に反して瞬間的に第１光源および第２光源が両方とも消灯または両方とも点灯状態になることがないので、瞬間的に設計した輝度とは異なる輝度になってしまうのを抑制することができる。これにより、輝度の高い安定性を得ることができる。また、第１光源の点灯および消灯のタイミングと第２光源の点灯および消灯のタイミングとがそれぞれ互いに重ならないようにすることによって、光源の点滅に伴う電源トランスの負荷変動のタイミングを分散して一度に生じる負荷変動を小さくすることができるので、電源トランスが音鳴きすることを抑制することができる。これにより、輝度の高い安定性を得ることができ、かつ、電源トランスが音鳴きすることを抑制することができる。また、複数の光源を２分割した一方の第１光源および複数の光源を２分割した他方の第２光源に供給される電力を制御してそれぞれ交互に繰り返し点滅させる制御を行う制御部を設けることによって、制御部が２つの光源を制御するだけで輝度を調整することができるので、制御部による制御を簡単にすることができる。
【００１０】
この第１の局面による液晶表示装置において、好ましくは、制御部は、第１光源および第２光源をそれぞれ所定の周期で点滅させるとともに、第１光源を点灯させるタイミングと第２光源を点灯させるタイミングとが所定の時間だけ互いにずれるように制御することによって、第１光源の点灯および消灯のタイミングと第２光源の点灯および消灯のタイミングとが互いに重ならないように第１光源および第２光源をそれぞれ交互に繰り返し点滅させるように構成されている。このように構成すれば、第１光源の点灯および消灯のタイミングと第２光源の点灯および消灯のタイミングとを容易に互いに重ならないようにすることができる。
【００１１】
この場合、好ましくは、制御部は、第１光源を点灯させるタイミングと第２光源を点灯させるタイミングとが所定の周期の半周期分だけ互いにずれるように第１光源および第２光源をそれぞれ交互に繰り返し点滅させる制御を行うように構成されている。このように構成すれば、第１光源の点灯および消灯のタイミングと第２光源の点灯および消灯のタイミングとを確実に互いに重ならないようにすることができる。
【００１２】
この第１の局面による液晶表示装置において、好ましくは、制御部は、第１光源および第２光源を点滅させる周波数が音の可聴域内の周波数になるように第１光源および第２光源をそれぞれ交互に繰り返し点滅させるとともに、第１光源および第２光源を点滅させることによる電力変化の周波数が音の可聴域外の周波数になるように制御を行うように構成されている。このように構成すれば、電源トランスの負荷変動により電源トランスから音が発生したとしても、電源トランスから発生する音を実質的に聴こえないようにすることができる。
【００１３】
この第１の局面による液晶表示装置において、好ましくは、第１光源および第２光源は、それぞれ、複数の第１発光素子および複数の第２発光素子を有し、制御部は、複数の第１発光素子の点灯および消灯のタイミングと複数の第２発光素子の点灯および消灯のタイミングとが互いに重ならないように複数の第１発光素子および複数の第２発光素子をそれぞれ交互に繰り返し点滅させる制御を行うように構成されている。このように構成すれば、冷陰極蛍光ランプなどに比べて消費電力が少ない発光素子を用いることにより、第１光源および第２光源を点滅させることによる電力変化をより小さくすることができるので、電源トランスの負荷変動をより小さくすることができる。
【００１４】
この発明の第２の局面による液晶テレビジョン装置は、画像を表示可能な液晶表示パネルと、テレビジョン信号を受信するチューナと、複数の光源を２分割した一方の第１光源と他方の第２光源とを含み液晶表示パネルに光を照射するバックライトと、１次側の電圧をバックライトに供給する２次側の電圧に変換する電源トランスと、第１光源および第２光源に供給される電力を制御してそれぞれ交互に繰り返し点滅させる制御を行う制御部とを備え、制御部は、第１光源の点灯および消灯のタイミングと第２光源の点灯および消灯のタイミングとが互いに重ならないように第１光源および第２光源をそれぞれ交互に繰り返し点滅させる制御を行うように構成されている。
【００１５】
この第２の局面による液晶テレビジョン装置では、第１光源の点灯および消灯のタイミングと第２光源の消灯および点灯のタイミングとがそれぞれ互いに重ならないようにすることによって、第１光源の点灯および消灯のタイミングと第２光源の消灯および点灯のタイミングとが少しずれた場合にも、設計に反して瞬間的に第１光源および第２光源が両方とも消灯または両方とも点灯状態になることがないので、瞬間的に設計した輝度とは異なる輝度になってしまうのを抑制することができる。これにより、輝度の高い安定性を得ることができる。また、第１光源の点灯および消灯のタイミングと第２光源の点灯および消灯のタイミングとがそれぞれ互いに重ならないようにすることによって、光源の点滅に伴う電源トランスの負荷変動のタイミングを分散して一度に生じる負荷変動を小さくすることができるので、電源トランスが音鳴きすることを抑制することができる。これにより、輝度の高い安定性を得ることができ、かつ、電源トランスが音鳴きすることを抑制することができる。このような効果は、特に、静音化が望まれる液晶テレビジョン装置において有効である。また、複数の光源を２分割した一方の第１光源および複数の光源を２分割した他方の第２光源に供給される電力を制御してそれぞれ交互に繰り返し点滅させる制御を行う制御部を設けることによって、制御部が２つの光源を制御するだけで輝度を調整することができるので、制御部による制御を簡単にすることができる。
【図面の簡単な説明】
【００１６】
【図１】本発明の第１および第２実施形態による液晶テレビジョン装置の構成を示したブロック図である。
【図２】本発明の第１および第２実施形態による液晶テレビジョン装置のバックライトの構成を示したブロック図である。
【図３】本発明の第１実施形態による液晶テレビジョン装置の第１ＬＥＤを点滅させるための電流の変化を示した図である。
【図４】本発明の第１実施形態による液晶テレビジョン装置の第２ＬＥＤを点滅させるための電流の変化を示した図である。
【図５】本発明の第１実施形態による液晶テレビジョン装置の第１ＬＥＤおよび第２ＬＥＤを点滅させた際のトータルの電流の変化を示した図である。
【図６】本発明の第２実施形態による液晶テレビジョン装置の第１ＬＥＤを点滅させるための電流の変化を示した図である。
【図７】本発明の第２実施形態による液晶テレビジョン装置の第２ＬＥＤを点滅させるための電流の変化を示した図である。
【図８】本発明の第２実施形態による液晶テレビジョン装置の第１ＬＥＤおよび第２ＬＥＤを点滅させた際のトータルの電流の変化を示した図である。
【図９】本発明の第１および第２実施形態の変形例による液晶テレビジョン装置のバックライトの構成を示したブロック図である。
【発明を実施するための形態】
【００１７】
以下、本発明の実施形態を図面に基づいて説明する。
【００１８】
（第１実施形態）
まず、図１および図２を参照して、本発明の第１実施形態による液晶テレビジョン装置１００の構成について説明する。なお、液晶テレビジョン装置１００は、本発明の「液晶表示装置」の一例である。
【００１９】
本発明の第１実施形態による液晶テレビジョン装置１００は、図１に示すように、液晶表示部１１と、制御部１２と、電源１３と、電源トランス１４と、ドライバ１５と、チューナ１６と、デコーダ１７とを備えている。
【００２０】
液晶表示部１１は、液晶表示パネル１１１と、バックライト１１２とを含んでいる。液晶表示パネル１１１は、チューナ１６を介して受信されたテレビジョン信号に基づいてデコーダ１７で処理された画像を表示可能に構成されている。
【００２１】
バックライト１１２は、液晶表示パネル１１１に向けて光を照射するように構成されている。具体的には、バックライト１１２は、図２に示すように、５個の第１ＬＥＤ（発光ダイオード）１１２ａと５個の第２ＬＥＤ１１２ｂとを含み、第１ＬＥＤ１１２ａおよび第２ＬＥＤ１１２ｂから出力された光を液晶表示パネル１１１に向けて照射するように構成されている。これにより、液晶表示パネル１１１が、明るく、かつ、鮮明な画像を表示することが可能に構成されている。なお、第１ＬＥＤ１１２ａは、本発明の「第１光源」および「第１発光素子」の一例であり、第２ＬＥＤ１１２ｂは、本発明の「第２光源」および「第２発光素子」の一例である。
【００２２】
第１ＬＥＤ１１２ａおよび第２ＬＥＤ１１２ｂは、それぞれ、ドライバ１５を介して制御部１２に接続されている。また、第１ＬＥＤ１１２ａおよび第２ＬＥＤ１１２ｂは、ドライバ１５から供給される電流の有無により点滅可能に構成されている。バックライト１１２は、第１ＬＥＤ１１２ａおよび第２ＬＥＤ１１２ｂが点灯している時間と消灯している時間の割合により輝度が調整可能に構成されている。具体的には、バックライト１１２は、第１ＬＥＤ１１２ａおよび第２ＬＥＤ１１２ｂの点灯している時間の割合が長くなれば輝度が上がり、点灯している時間の割合が短くなれば輝度が下がるように構成されている。
【００２３】
制御部１２は、液晶テレビジョン装置１００の各部を制御するように構成されている。また、制御部１２は、電源１３から電源トランス１４を介して電力が供給されるように構成されている。また、制御部１２は、ドライバ１５を介して、第１ＬＥＤ１１２ａおよび第２ＬＥＤ１１２ｂに供給される電流を制御して、第１ＬＥＤ１１２ａおよび第２ＬＥＤ１１２ｂをそれぞれ点滅させる制御を行うように構成されている。
【００２４】
電源１３は、１次側に配置されて外部から供給される１００Ｖの電圧を電源トランス１４に供給可能に構成されている。電源トランス１４は、電源１３から出力された１００Ｖの電圧を２次側に配置された制御部１２に入力される５Ｖの電圧に変換可能に構成されている。また、電源トランス１４は、制御部１２に出力される電力（電流）に応じて動作するように構成されている。具体的には、制御部１２およびドライバ１５を介してバックライト１１２に供給される電流が大きくなると電源トランス１４の負荷が大きくなり、バックライト１１２に供給される電流が小さくなると電源トランス１４の負荷が小さくなるように構成されている。つまり、バックライト１１２に供給される電流の変化が大きくなると電源トランス１４の負荷変動が大きくなるように構成されている。
【００２５】
ドライバ１５は、制御部１２により制御されて、バックライト１１２の第１ＬＥＤ１１２ａおよび第２ＬＥＤ１１２ｂに電流を供給するように構成されている。チューナ１６は、テレビジョン信号を受信可能に構成されている。デコーダ１７は、チューナ１６が受信したテレビジョン信号を処理して液晶表示パネル１１１が表示可能な画像にするように構成されている。
【００２６】
次に、図３〜図５を参照して、液晶テレビジョン装置１００のバックライト１１２の第１ＬＥＤ１１２ａおよび第２ＬＥＤ１１２ｂを点滅させた際の電流の変化について説明する。
【００２７】
第１ＬＥＤ１１２ａは、図３に示すように、制御部１２により供給される電流が制御されている。具体的には、５個の第１ＬＥＤ１１２ａは、時間ｔ１〜ｔ５において、時間ｔ１〜ｔ４の間では電流Ｉが供給され、時間ｔ４〜ｔ５の間では電流の供給が停止される。また、５個の第１ＬＥＤ１１２ａは、時間ｔ１〜ｔ５を１周期として、同様に電流の供給と停止が繰り返される。これにより、５個の第１ＬＥＤ１１２ａは、所定の周波数（たとえば、音の可聴域内の１０ｋＨｚ）で点灯と消灯とが繰り返される。また、ここでは、１周期のうち第１ＬＥＤ１１２ａが点灯している時間の割合を表すデューティ比が３／４になっている。
【００２８】
第２ＬＥＤ１１２ｂは、図４に示すように、制御部１２により供給される電流が制御されている。また、第２ＬＥＤ１１２ｂは、第２ＬＥＤ１１２ｂの点灯および消灯のタイミングが、第１ＬＥＤ１１２ａの点灯および消灯のタイミングと重ならないように点滅するように電流が供給されている。具体的には、５個の第２ＬＥＤ１１２ｂは、時間ｔ３〜ｔ７において、時間ｔ３〜ｔ６の間では電流Ｉが供給され、時間ｔ６〜ｔ７の間では電流の供給が停止される。また、５個の第２ＬＥＤ１１２ｂは、時間ｔ３〜ｔ７を１周期として、同様に電流の供給と停止が繰り返される。これにより、５個の第２ＬＥＤ１１２ｂは、第１ＬＥＤ１１２ａと同じ所定の周波数（たとえば、音の可聴域内の１０ｋＨｚ）で第１ＬＥＤ１１２ａに対して半周期ずれて点灯と消灯とが繰り返される。また、ここでは、１周期のうち第２ＬＥＤ１１２ｂが点灯している時間の割合を表すデューティ比が３／４になっている。
【００２９】
ここで、第１実施形態では、図５に示すように、バックライト１１２には、ドライバ１５から電流が供給される。詳細には、バックライト１１２には、第１ＬＥＤ１１２ａに供給される電流と第２ＬＥＤ１１２ｂに供給される電流の合計の電流が供給される。時間ｔ１〜ｔ２では、第１ＬＥＤ１１２ａおよび第２ＬＥＤ１１２ｂの両方に同じ電流Ｉが供給されている。時間ｔ２〜ｔ３では、第１ＬＥＤ１１２ａにのみ電流Ｉが供給されている。以後も第１ＬＥＤ１１２ａおよび第２ＬＥＤ１１２ｂの両方に電流Ｉが供給されている場合と、どちらか一方のみに電流Ｉが供給されている場合とが繰り返される。つまり、バックライト１１２に供給される電流の変化は、時間ｔ１〜ｔ３を１周期として、電流２Ｉが供給されている期間と電流Ｉが供給されている期間とが繰り返される。これにより、第１ＬＥＤ１１２ａおよび第２ＬＥＤ１１２ｂの両方に同時に電流を供給（停止）する場合に比べて、バックライト１１２に供給される電流の変化を１／２にすることができる。
【００３０】
また、バックライト１１２に供給される電力（電流）変化の周波数（たとえば、音の可聴域外の２０ｋＨｚ）が第１ＬＥＤ１１２ａおよび第２ＬＥＤ１１２ｂの点滅の周波数（たとえば、音の可聴域内の１０ｋＨｚ）の２倍となる。これにより、制御部１２は、第１ＬＥＤ１１２ａおよび第２ＬＥＤ１１２ｂを音の可聴域内の周波数（たとえば、１０ｋＨｚ）で点滅させるとともに、バックライトに供給される電力（電流）変化を音の可聴域外の周波数（たとえば、２０ｋＨｚ）になるように制御することができる。
【００３１】
第１実施形態では、上記のように、第１ＬＥＤ１１２ａの点灯および消灯のタイミングと第２ＬＥＤ１１２ｂの消灯および点灯のタイミングとがそれぞれ互いに重ならないようにすることによって、第１ＬＥＤ１１２ａの点灯および消灯のタイミングと第２ＬＥＤ１１２ｂの消灯および点灯のタイミングとが少しずれた場合にも、設計に反して瞬間的に第１ＬＥＤ１１２ａおよび第２ＬＥＤ１１２ｂが両方とも消灯または両方とも点灯状態になることがないので、瞬間的に設計した輝度とは異なる輝度になってしまうのを抑制することができる。これにより、輝度の高い安定性を得ることができる。また、第１ＬＥＤ１１２ａの点灯および消灯のタイミングと第２ＬＥＤ１１２ｂの点灯および消灯のタイミングとがそれぞれ互いに重ならないようにすることによって、第１ＬＥＤ１１２ａおよび第２ＬＥＤ１１２ｂの点滅に伴う電源トランス１４の負荷変動のタイミングを分散して一度に生じる負荷変動を小さくすることができるので、電源トランス１４が音鳴きすることを抑制することができる。これにより、輝度の高い安定性を得ることができ、かつ、電源トランス１４が音鳴きすることを抑制することができる。このような効果は、特に、静音化が望まれる液晶テレビジョン装置１００において有効である。また、複数の光源を２分割した一方の第１ＬＥＤ１１２ａおよび複数の光源を２分割した他方の第２ＬＥＤ１１２ｂに供給される電力を制御してそれぞれ交互に繰り返し点滅させる制御を行う制御部１２を設けることによって、制御部１２が２つの光源を制御するだけで輝度を調整することができるので、制御部１２による制御を簡単にすることができる。
【００３２】
また、第１実施形態では、制御部１２を、第１ＬＥＤ１１２ａおよび第２ＬＥＤ１１２ｂをそれぞれ所定の周期で点滅させるとともに、第１ＬＥＤ１１２ａを点灯させるタイミングと第２ＬＥＤ１１２ｂを点灯させるタイミングとが半周期分だけ互いにずれるように第１ＬＥＤ１１２ａおよび第２ＬＥＤ１１２ｂをそれぞれ交互に繰り返し点滅させる制御を行うように構成することによって、第１ＬＥＤ１１２ａの点灯および消灯のタイミングと第２ＬＥＤ１１２ｂの点灯および消灯のタイミングとを確実に互いに重ならないようにすることができる。
【００３３】
また、第１実施形態では、制御部１２を、第１ＬＥＤ１１２ａおよび第２ＬＥＤ１１２ｂを点滅させる周波数が音の可聴域内の周波数（たとえば、１０ｋＨｚ）になるように第１ＬＥＤ１１２ａおよび第２ＬＥＤ１１２ｂをそれぞれ交互に繰り返し点滅させるとともに、第１ＬＥＤ１１２ａおよび第２ＬＥＤ１１２ｂを点滅させることによる電力（電流）変化の周波数が音の可聴域外の周波数（たとえば、２０ｋＨｚ）になるように制御を行うように構成することによって、電源トランス１４の負荷変動により電源トランス１４から音が発生したとしても、電源トランス１４の負荷変動による電源トランス１４から発生する音を実質的に聴こえないようにすることができる。
【００３４】
また、第１実施形態では、５個の第１ＬＥＤ１１２ａおよび５個の第２ＬＥＤ１１２ｂを光源として設けることによって、冷陰極蛍光ランプなどに比べて消費電力が少ないＬＥＤを用いることにより、光源を点滅させることによる電力変化をより小さくすることができるので、電源トランス１４の負荷変動をより小さくすることができる。
【００３５】
（第２実施形態）
次に、図１、図２および図６〜図８を参照して、本発明の第２実施形態による液晶テレビジョン装置１００について説明する。この第２実施形態では、上記第１実施形態と異なり、１周期のうち第１ＬＥＤ１１２ａおよび第２ＬＥＤ１１２ｂが点灯している時間の割合を表すデューティ比が１／２である液晶テレビジョン装置１００について説明する。
【００３６】
図１および図２に示すように、第２実施形態による液晶テレビジョン装置１００は、第１実施形態と同様の構成をしている。なお、液晶テレビジョン装置１００は、本発明の「液晶表示装置」の一例である。
【００３７】
図６〜図８を参照して、液晶テレビジョン装置１００のバックライト１１２の第１ＬＥＤ１１２ａおよび第２ＬＥＤ１１２ｂを点滅させた際の電流の変化について説明する。
【００３８】
ここで、第２実施形態では、第１ＬＥＤ１１２ａは、図６に示すように、制御部１２により供給される電流が制御されている。具体的には、５個の第１ＬＥＤ１１２ａは、時間ｔ１〜ｔ５において、時間ｔ１〜ｔ３の間では電流Ｉが供給され、時間ｔ３〜ｔ５の間では電流の供給が停止される。また、５個の第１ＬＥＤ１１２ａは、時間ｔ１〜ｔ５を１周期として、同様に電流の供給と停止が繰り返される。これにより、５個の第１ＬＥＤ１１２ａは、所定の周波数（たとえば、１００Ｈｚ）で点灯と消灯とが繰り返される。また、ここでは、１周期のうち第１ＬＥＤ１１２ａが点灯している時間の割合を表すデューティ比が１／２になっている。
【００３９】
第２ＬＥＤ１１２ｂは、図７に示すように、制御部１２により供給される電流が制御されている。また、第２ＬＥＤ１１２ｂは、第２ＬＥＤ１１２ｂの点灯および消灯のタイミングが、第１ＬＥＤ１１２ａの点灯および消灯のタイミングと重ならないように点滅するように電流が供給されている。具体的には、５個の第２ＬＥＤ１１２ｂは、時間ｔ２〜ｔ６において、時間ｔ２〜ｔ４の間では電流Ｉが供給され、時間ｔ４〜ｔ６の間では電流の供給が停止される。また、５個の第２ＬＥＤ１１２ｂは、時間ｔ２〜ｔ６を１周期として、同様に電流の供給と停止が繰り返される。これにより、５個の第２ＬＥＤ１１２ｂは、第１ＬＥＤ１１２ａと同じ所定の周波数（たとえば、１００Ｈｚ）で第１ＬＥＤ１１２ａに対して所定の時間ずれて（ここでは、１／４周期遅れて）点灯と消灯とが繰り返される。また、ここでは、１周期のうち第２ＬＥＤ１１２ｂが点灯している時間の割合を表すデューティ比が１／２になっている。
【００４０】
バックライト１１２には、図８に示すように、ドライバ１５から電流が供給される。詳細には、バックライト１１２には、第１ＬＥＤ１１２ａに供給される電流と第２ＬＥＤ１１２ｂに供給される電流の合計の電流が供給される。具体的には、バックライト１１２は、時間ｔ２〜ｔ６において、時間ｔ２〜ｔ３では、第１ＬＥＤ１１２ａおよび第２ＬＥＤ１１２ｂの両方に同じ電流Ｉが供給され、時間ｔ３〜ｔ４では、第２ＬＥＤ１１２ｂにのみ電流Ｉが供給され、時間ｔ４〜ｔ５では、第１ＬＥＤ１１２ａおよび第２ＬＥＤ１１２ｂの両方とも電流が停止され、時間ｔ５〜ｔ６では、第１ＬＥＤ１１２ａにのみ電流Ｉが供給される。また、バックライト１１２に供給される電流の変化は、時間ｔ２〜ｔ６を１周期として、同様に電流の変化が繰り返される。これにより、第１ＬＥＤ１１２ａおよび第２ＬＥＤ１１２ｂの両方に同時に電流を供給（停止）する場合に比べて、バックライト１１２に供給される電流の瞬間的な変化を１／２にすることができる。また、バックライト１１２に供給される電力（電流）変化の周波数（たとえば、１００Ｈｚ）は、第１ＬＥＤ１１２ａおよび第２ＬＥＤ１１２ｂの点滅の周波数（たとえば、１００Ｈｚ）と等しくなる。
【００４１】
なお、第２実施形態のその他の構成は、上記第１実施形態と同様である。
【００４２】
上記のように、第２実施形態の構成においても、上記第１実施形態と同様に、第１ＬＥＤ１１２ａの点灯および消灯のタイミングと第２ＬＥＤ１１２ｂの点灯および消灯のタイミングとが互いに重ならないようにすることによって、輝度の高い安定性を得ることができ、かつ、電源トランス１４が音鳴きすることを抑制することができる。
【００４３】
さらに、第２実施形態では、上記のように、制御部１２を、第１ＬＥＤ１１２ａおよび第２ＬＥＤ１１２ｂをそれぞれ所定の周期で点滅させるとともに、第１ＬＥＤ１１２ａを点灯させるタイミングと第２ＬＥＤ１１２ｂを点灯させるタイミングとが所定の時間だけ互いにずれるように制御することによって、第１ＬＥＤ１１２ａの点灯および消灯のタイミングと第２ＬＥＤ１１２ｂの点灯および消灯のタイミングとが互いに重ならないように第１ＬＥＤ１１２ａおよび第２ＬＥＤ１１２ｂをそれぞれ交互に繰り返し点滅させるように構成することによって、第１ＬＥＤ１１２ａの点灯および消灯のタイミングと第２ＬＥＤ１１２ｂの点灯および消灯のタイミングとを容易に互いに重ならないようにすることができる。
【００４４】
なお、第２実施形態のその他の効果は、上記第１実施形態と同様である。
【００４５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４６】
たとえば、上記第１および第２実施形態では、本発明の液晶表示装置の一例として液晶テレビジョン装置を適用する例を示したが、本発明はこれに限られない。本発明では、液晶テレビジョン装置以外の液晶表示装置に適用してもよい。たとえば、パーソナルコンピュータ（ＰＣ）用の液晶ディスプレイやカーナビゲーションシステムに搭載される液晶モニタ等に本発明の液晶表示装置を適用してもよい。
【００４７】
また、上記第１実施形態では、第１光源としての第１ＬＥＤおよび第２光源としての第２ＬＥＤが１周期のうち点灯している時間の割合を表すデューティ比が３／４である例を示し、上記第２実施形態では、デューティ比が１／２である例を示したが、本発明はこれに限らない。本発明では、デューティ比が３／４および１／２以外であってもよい。
【００４８】
また、上記第１実施形態では、第１光源としての第１ＬＥＤおよび第２光源としての第２ＬＥＤを所定の周波数（たとえば、１０ｋＨｚ）で点滅させる例を示したが、本発明はこれに限られない。本発明では、１０ｋＨｚ以外の周波数で第１光源および第２光源を点滅させてもよい。
【００４９】
また、上記第２実施形態では、第１光源としての第１ＬＥＤおよび第２光源としての第２ＬＥＤを所定の周波数（たとえば、１００Ｈｚ）で点滅させる例を示したが、本発明はこれに限られない。本発明では、１００Ｈｚ以外の周波数で第１光源および第２光源を点滅させてもよい。
【００５０】
また、上記第１実施形態では、第１光源としての第１ＬＥＤおよび第２光源としての第２ＬＥＤを点滅させることによる電力変化の周波数が音の可聴域外の周波数（たとえば、２０ｋＨｚ）になる例を示したが、本発明はこれに限られない。本発明では、第１光源および第２光源を点滅させることによる電力変化の周波数が２０ｋＨｚ以外の可聴域外の周波数になってもよい。
【００５１】
また、上記第１実施形態では、第１光源としての第１ＬＥＤを点灯させるタイミングと第２光源としての第２ＬＥＤを点灯させるタイミングとが第１光源および第２光源が点滅する周期の半周期分だけ互いにずれている例を示したが、本発明はこれに限られない。本発明では、第１光源の点灯および消灯のタイミングと第２光源の点灯および消灯のタイミングとが互いに重ならなければ、第１光源を点灯させるタイミングと第２光源を点灯させるタイミングとが第１光源および第２光源が点滅する周期の半周期分以外の所定の時間だけ互いにずれるようにしてもよい。
【００５２】
また、上記第２実施形態では、第１光源としての第１ＬＥＤを点灯させるタイミングと第２光源としての第２ＬＥＤを点灯させるタイミングとが第１光源および第２光源が点滅する周期の１／４周期分だけ互いにずれている例を示したが、本発明はこれに限られない。本発明では、第１光源の点灯および消灯のタイミングと第２光源の点灯および消灯のタイミングとが互いに重ならなければ、第１光源を点灯させるタイミングと第２光源を点灯させるタイミングとが第１光源および第２光源が点滅する周期の１／４周期分以外の所定の時間だけ互いにずれるようにしてもよい。ただし、第２実施形態のようにデューティ比が１／２の場合は、第１光源の点灯および消灯のタイミングと第２光源の点灯および消灯のタイミングとが互いに重ならないようにするために、第１光源を点灯させるタイミングと第２光源を点灯させるタイミングとが第１光源および第２光源が点滅する周期の半周期分以外の所定の時間だけ互いにずれるようにする必要がある。
【００５３】
また、上記実施形態では、第１光源および第２光源として、それぞれＬＥＤを用いる構成の例を示したが、本発明はこれに限られない。本発明では、第１光源および第２光源として、それぞれＬＥＤ以外の光源を用いる構成であってもよい。たとえば、図９に示すように、第１光源および第２光源として、それぞれＣＣＦＬ（冷陰極蛍光ランプ）などを光源として用いてもよい。
【符号の説明】
【００５４】
１２  制御部
１４  電源トランス
１６  チューナ
１００  液晶テレビジョン装置（液晶表示装置）
１１１  液晶表示パネル
１１２  バックライト
１１２ａ  第１ＬＥＤ（第１光源、第１発光素子）
１１２ｂ  第２ＬＥＤ（第２光源、第２発光素子）
【図１】
2012252158.tif 000003
【図２】
2012252158.tif 000004
【図３】
2012252158.tif 000005
【図４】
2012252158.tif 000006
【図５】
2012252158.tif 000007
【図６】
2012252158.tif 000008
【図７】
2012252158.tif 000009
【図８】
2012252158.tif 000010
【図９】
2012252158.tif 000011